(57)【要約】フィルムコンデンサは、コンデンサ素子と、一端部が前記コンデンサ素子の端面電極に接続され、他端部に外部端子に接続可能な接続端子部を有するバスバーと、バスバーが接続されたコンデンサ素子が収容されるケースと、ケース内のコンデンサ素子よりもケースの開口部側に配置され、ネジ孔部を有し、外部端子と接続端子部とがネジにより固定される端子台と、を備える。端子台には、開口部の開口面に沿う第１の方向に関して端子台が位置決めされるようにケースと関わり合う位置決め部が設けられる。【選択図】図１
2019026605.tif 000002
【特許請求の範囲】
【請求項１】
コンデンサ素子と、
一端部が前記コンデンサ素子の電極に接続され、他端部に外部端子に接続可能な接続端子部を有するバスバーと、
前記バスバーが接続された前記コンデンサ素子が収容されるケースと、
前記ケース内の前記コンデンサ素子よりも前記ケースの開口部側に配置され、ネジ孔部を有し、前記外部端子と前記接続端子部とがネジにより固定される端子台と、を備え、
前記端子台には、前記開口部の開口面に沿う第１の方向に関して前記端子台が位置決めされるように前記ケースと関わり合う位置決め部が設けられる、
ことを特徴とするコンデンサ。
【請求項２】
請求項１に記載のコンデンサにおいて、
前記ケースは、前記開口部の開口面に沿い前記第１の方向に直交する第２の方向の幅が前記第１の方向の幅よりも広い構成であり、
前記位置決め部は、前記第１の方向において前記ケースの互いに対向する２つの内壁面側にそれぞれ延びて当該内壁面側に当接する梁状部を含む、
ことを特徴とするコンデンサ。
【請求項３】
請求項２に記載のコンデンサにおいて、
前記位置決め部は、前記第２の方向における前記端子台の両端部に設けられる、
ことを特徴とするコンデンサ。
【請求項４】
請求項１ないし３の何れか一項に記載のコンデンサにおいて、
前記位置決め部は、前記開口部の開口面に沿い前記第１の方向に直交する第２の方向に関して前記端子台が位置決めされるように前記ケースと関わり合う、
ことを特徴とするコンデンサ。
【請求項５】
請求項４に記載のコンデンサにおいて、
前記位置決め部は、前記開口部の開口面に直交する第３の方向に関して前記端子台が位置決めされるように前記ケースと関わり合う、
ことを特徴とするコンデンサ。
【請求項６】
請求項１ないし５の何れか一項に記載のコンデンサにおいて、
前記電極は、前記コンデンサ素子の両端面に設けられる第１端面電極および第２端面電極を含み、
前記バスバーは、前記第１端面電極に接続される第１バスバーと前記第２端面電極に接続される第２バスバーとを含み、
前記端子台は、電気的絶縁性を有する材料により形成され、前記第１バスバーの前記接続端子部が固定される第１台部と、当該第１台部と接する状態で隣り合い前記第２バスバーの前記接続端子部が固定される第２台部とを含み、
前記端子台には、前記第１台部に固定された前記第１バスバーの前記接続端子部と前記第２台部に固定された前記第２バスバーの前記接続端子部との間に介在する仕切部が設けられる、
ことを特徴とするコンデンサ。
【発明の詳細な説明】
【技術分野】
【０００１】
本発明は、コンデンサに関する。
【背景技術】
【０００２】
両端の電極部にバスバーが接続されたコンデンサ素子をケースに収容し、ケース内に樹脂を充填したコンデンサであって、端子台を備えるものが、特許文献１に記載されている。【０００３】
特許文献１のコンデンサでは、バスバーは、外部機器への取り付けに供される取付孔を有する外部接続用端子を含む。端子台は、ケースに接することなく、一方側が樹脂に埋設されるとともに、他方側にネジ部が設けられる。端子台のネジ部は、外部接続用端子の取付孔と対向し、外部機器との接続に際して、取付孔に通されたネジがネジ部に止められると、外部接続用端子と端子台とがネジを介して固定される。
【先行技術文献】
【特許文献】
【０００４】
【特許文献１】特開２０１３−２１９１１０号公報
【発明の概要】
【発明が解決しようとする課題】
【０００５】
上記のコンデンサでは、端子台が、ケースに接しておらず、ケースに対して何ら位置決めされていない。このため、端子台とケースとの間の位置精度を向上できない。【０００６】
かかる課題に鑑み、本発明は、端子台とケースとの間の位置精度を簡易に向上でき得るコンデンサを提供することを目的とする。
【課題を解決するための手段】
【０００７】
本発明の主たる態様に係るコンデンサは、コンデンサ素子と、一端部が前記コンデンサ素子の電極に接続され、他端部に外部端子に接続可能な接続端子部を有するバスバーと、前記バスバーが接続された前記コンデンサ素子が収容されるケースと、前記ケース内の前記コンデンサ素子よりも前記ケースの開口部側に配置され、ネジ孔部を有し、前記外部端子と前記接続端子部とがネジにより固定される端子台と、を備える。前記端子台には、前記開口部の開口面に沿う第１の方向に関して前記端子台が位置決めされるように前記ケースと関わり合う位置決め部が設けられる。
【発明の効果】
【０００８】
本発明によれば、端子台とケースとの間の位置精度を簡易に向上でき得るコンデンサを提供できる。【０００９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１０】
【図１】図１（ａ）は、実施の形態に係る、フィルムコンデンサの斜視図であり、図１（ｂ）は、実施の形態に係る、前側コンデンサ素子ユニット、後側コンデンサ素子ユニットおよび端子台により構成されるコンデンサアセンブリ体の斜視図である。
【図２】図２は、実施の形態に係る、コンデンサアセンブリ体の分解斜視図である。
【図３】図３は、実施の形態に係る、前側コンデンサ素子ユニットの分解斜視図である。
【図４】図４は、実施の形態に係る、後側コンデンサ素子ユニットの分解斜視図である。
【図５】図５（ａ）は、実施の形態に係る、前方上方から見た端子台の斜視図であり、図５（ｂ）は、実施の形態に係る、後方下方から見た端子台の斜視図である。
【図６】図６（ａ）は、実施の形態に係る、前方上方から見たケースの斜視図であり、図６（ｂ）は、実施の形態に係る、後方上方から見たケースの斜視図である。
【図７】図７は、実施の形態に係る、ケース内にコンデンサアセンブリ体が収容された状態であって、ケース内に充填樹脂が充填される前のフィルムコンデンサの平面図である。
【図８】図８（ａ）および（ｂ）は、変更例に係る、充填樹脂が充填されていない状態のフィルムコンデンサの平面図である。
【発明を実施するための形態】
【００１１】
以下、本発明のコンデンサの一実施形態であるフィルムコンデンサ１について図面を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１２】
本実施の形態において、フィルムコンデンサ１が、特許請求の範囲に記載の「コンデンサ」に対応する。また、第１端面電極１１１および第２端面電極１１２が、特許請求の範囲に記載の「電極」に対応する。さらに、前側第１バスバー２００Ａおよび後側第１バスバー２００Ｂが、特許請求の範囲に記載の「第１バスバー」および「バスバー」に対応し、前側第２バスバー３００Ａおよび後側第２バスバー３００Ｂが、特許請求の範囲に記載の「第２バスバー」および「バスバー」に対応する。さらに、第１接続端子部２４０および第２接続端子部３４０が、特許請求の範囲に記載の「接続端子部」に対応する。さらに、脚部５２１が、特許請求の範囲に記載の「梁状部」に対応する。
【００１３】
さらに、本実施の形態において、前後方向が、特許請求の範囲に記載の「第１の方向」に対応し、左右方向が、特許請求の範囲に記載の「第２の方向」に対応し、上下方向が、特許請求の範囲に記載の「第３の方向」に対応する。
【００１４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１５】
図１（ａ）は、本実施の形態に係る、フィルムコンデンサ１の斜視図であり、図１（ｂ）は、本実施の形態に係る、前側コンデンサ素子ユニット１０、後側コンデンサ素子ユニット２０および端子台３０により構成されるコンデンサアセンブリ体ＡＳの斜視図である。図２は、本実施の形態に係る、コンデンサアセンブリ体ＡＳの分解斜視図である。図３は、本実施の形態に係る、前側コンデンサ素子ユニット１０の分解斜視図である。図４は、本実施の形態に係る、後側コンデンサ素子ユニット２０の分解斜視図である。図５（ａ）は、本実施の形態に係る、前方上方から見た端子台３０の斜視図であり、図５（ｂ）は、本実施の形態に係る、後方下方から見た端子台３０の斜視図である。図６（ａ）は、本実施の形態に係る、前方上方から見たケース４０の斜視図であり、図６（ｂ）は、本実施の形態に係る、後方上方から見たケース４０の斜視図である。
【００１６】
図１（ａ）、（ｂ）および図２を参照して、フィルムコンデンサ１は、前側コンデンサ素子ユニット１０と、後側コンデンサ素子ユニット２０と、端子台３０と、ケース４０と、充填樹脂５０とを備える。前側コンデンサ素子ユニット１０と後側コンデンサ素子ユニット２０は前後方向に並ぶ。前側コンデンサ素子ユニット１０、後側コンデンサ素子ユニット２０および端子台３０は、一体化されてコンデンサアセンブリ体ＡＳを構成する。コンデンサアセンブリ体ＡＳは、ケース４０内に収容される。ケース４０内には、充填樹脂５０が充填される。
【００１７】
図３を参照して、前側コンデンサ素子ユニット１０は、前側コンデンサ素子群１００Ａと、前側第１バスバー２００Ａと、前側第２バスバー３００Ａとを含む。
【００１８】
前側コンデンサ素子群１００Ａは、上下および左右方向に配列された複数のコンデンサ素子１１０により構成される。本実施の形態では、前側コンデンサ素子群１００Ａが、上下に３個、左右に２個の合計６個のコンデンサ素子１１０により構成される。
【００１９】
コンデンサ素子１１０は、誘電体フィルム上にアルミニウムを蒸着させた２枚の金属化フィルムを重ね、重ねた金属化フィルムを巻回または積層し、扁平状に押圧することにより形成される。コンデンサ素子１１０には、一方の端面に、亜鉛等の金属の吹付けにより第１端面電極１１１が形成され、他方の端面に、同じく亜鉛等の金属の吹付けにより第２端面電極１１２が形成される。
【００２０】
なお、コンデンサ素子１１０は、誘電体フィルム上にアルミニウムを蒸着させた金属化フィルム以外にも、亜鉛、マグネシウム等の他の金属を蒸着させた金属化フィルムにより形成されてもよい。あるいは、コンデンサ素子１１０は、これらの金属のうち、複数の金属を蒸着させた金属化フィルムにより形成されてもよいし、これらの金属どうしの合金を蒸着させた金属化フィルムにより形成されてもよい。
【００２１】
前側コンデンサ素子群１００Ａにおいて、各コンデンサ素子１１０は、両端面が前後方向を向く。また、第１端面電極１１１が前側に位置し、第２端面電極１１２が後側に位置する。
【００２２】
前側第１バスバー２００Ａは、導電性材料、たとえば、銅板により形成され、第１電極端子部２１０と、第１中継部２２０と、第１重合部２３０と、第１接続端子部２４０とを含む。前側第１バスバー２００Ａは、たとえば、一枚の銅板を適宜切り抜き、折り曲げることによって形成され、これら第１電極端子部２１０と、第１中継部２２０と、第１重合部２３０と、第１接続端子部２４０とが一体となっている。
【００２３】
第１電極端子部２１０は、ほぼ長方形の板状を有し、各コンデンサ素子１１０の第１端面電極１１１を覆う。第１電極端子部２１０には、左右方向および上下方向に並ぶようにして１２個の開口部２１１が形成される。１つのコンデンサ素子１１０に２つの開口部２１１が対応する。各開口部２１１の上縁に、電極ピン２１２が形成される。
【００２４】
第１中継部２２０は、第１電極端子部２１０と第１重合部２３０との間を中継する。第１中継部２２０は、ほぼ細長い長方形の板状を有し、第１電極端子部２１０の上端縁から後方に延びる。第１中継部２２０の中央部には、充填樹脂５０を流通させるための長円形の流通孔２２１が形成される。
【００２５】
第１重合部２３０は、ほぼ細長い長方形の板状を有し、第１中継部２２０の半分程度の長さに形成され、第１中継部２２０の中央部の後端縁から上方に延びる。
【００２６】
第１接続端子部２４０は、第１重合部２３０の右側の上端縁から上方に僅かに延びた後、後方に折り曲げられて後方へ延びる。第１接続端子部２４０の後方へ延びる部分が、外部端子との接続部２４０ａとなる。接続部２４０ａには、その表裏を貫通する円形の取付孔２４１が形成される。
【００２７】
前側第２バスバー３００Ａは、導電性材料、たとえば、銅板により形成され、第２電極端子部３１０と、第２中継部３２０と、第２重合部３３０と、第２接続端子部３４０とを含む。前側第２バスバー３００Ａは、たとえば、一枚の銅板を適宜切り抜き、折り曲げることによって形成され、これら第２電極端子部３１０と、第２中継部３２０と、第２重合部３３０と、第２接続端子部３４０とが一体となっている。
【００２８】
第２電極端子部３１０は、ほぼ長方形の板状を有し、各コンデンサ素子１１０の第２端面電極１１２を覆う。第２電極端子部３１０には、左右方向および上下方向に並ぶようにして１２個の開口部３１１が形成される。１つのコンデンサ素子１１０に２つの開口部３１１が対応する。各開口部３１１の上縁に、電極ピン３１２が形成される。
【００２９】
第２中継部３２０は、第２電極端子部３１０と第２重合部３３０との間を中継する。第２中継部３２０は、ほぼ細長い長方形の板状を有し、第２電極端子部３１０の上端縁から前方に延びる。第２中継部３２０の中央部には、充填樹脂５０を流通させるための長円形の流通孔３２１が形成される。
【００３０】
第２重合部３３０は、ほぼ細長い長方形の板状を有し、第２中継部３２０の半分程度の長さに形成され、第２中継部３２０の中央部の前端縁から上方に延びる。
【００３１】
第２接続端子部３４０は、第２重合部３３０左側の上端縁から上方に延びた後、前方に折り曲げられて後方へ延びる。第２接続端子部３４０の後方へ延びる部分が、外部端子との接続部３４０ａとなる。接続部３４０ａには、その表裏を貫通する円形の取付孔３４１が形成される。
【００３２】
前側第１バスバー２００Ａは、第１電極端子部２１０の各電極ピン２１２が各コンデンサ素子１１０の第１端面電極１１１に半田付け等の接合方法で接合されることにより、第１端面電極１１１に電気的に接続される。また、前側第２バスバー３００Ａは、第２電極端子部３１０の各電極ピン３１２が各コンデンサ素子１１０の第２端面電極１１２に半田付け等の接合方法で接合されることにより、第２端面電極１１２に電気的に接続される。半田付け等によって前側コンデンサ素子群１００Ａと前側第１バスバー２００Ａと前側第２バスバー３００Ａとが結合され、前側コンデンサ素子ユニット１０が組み立てられた状態となる（図２参照）。
【００３３】
前側コンデンサ素子ユニット１０が組み立てられた状態において、前側第１バスバー２００Ａの第１重合部２３０と前側第２バスバー３００Ａの第２重合部３３０とが前後方向に重なる。これら第１重合部２３０と第２重合部３３０との重なりにより、前側コンデンサ素子ユニット１０におけるＥＳＬ（等価直列インダクタンス）の低減が期待される。
【００３４】
第１重合部２３０と第２重合部３３０との間には、絶縁シート４００が挟まれる。絶縁シート４００は、絶縁紙やアクリル、シリコン等の電気的な絶縁性を有する樹脂材料により形成される。第１重合部２３０と第２重合部３３０との間が絶縁シート４００により電気的に絶縁される。
【００３５】
後側コンデンサ素子ユニット２０は、前側コンデンサ素子ユニット１０と、ほぼ同様な構成を有する。図４を参照して、後側コンデンサ素子ユニット２０は、後側コンデンサ素子群１００Ｂと、後側第１バスバー２００Ｂと、後側第２バスバー３００Ｂとを含む。後側コンデンサ素子ユニット２０では、後側第２バスバー３００Ｂが後側コンデンサ素子群１００Ｂの前側に位置し、後側第１バスバー２００Ｂが後側コンデンサ素子群１００Ｂの後側に位置する。
【００３６】
後側コンデンサ素子群１００Ｂの構成は、前側コンデンサ素子群１００Ａと同様である。但し、後側コンデンサ素子群１００Ｂでは、前側コンデンサ素子群１００Ａとは反対に、第２端面電極１１２が前側に位置し、第１端面電極１１１が後側に位置する。後側第１バスバー２００Ｂの構成は、第１重合部２３０に対する第１接続端子部２４０の位置が異なることを除き、前側第１バスバー２００Ａと同様であり、後側第２バスバー３００Ｂの構成は、第２重合部３３０に対する第２接続端子部３４０の位置が異なることを除き、前側第２バスバー３００Ａと同様である。
【００３７】
図５を参照して、端子台３０は、電気的に絶縁性を有する材料、たとえば、ポリフェニレンサルファイド（ＰＰＳ）等の樹脂材料で形成され、台本体５１０と、台本体５１０の左右の端部に形成される位置決め部５２０とを含む。台本体５１０は、第１台部５３０と、第２台部５４０と、仕切部５５０とを含む。
【００３８】
第１台部５３０は、ほぼ直方体形状を有する。第１台部５３０の上面５３０ａには、金属製のナット５３１のインサート成形によりネジ孔部５３２が形成される。第２台部５４０は、ほぼ直方体形状を有し、第１台部５３０と接する状態で隣り合う。第２台部５４０の上面５４０ａには、金属製のナット５４１のインサート成形によりネジ孔部５４２が形成される。第２台部５４０の上面５４０ａの位置は、第１台部５３０の上面５３０ａの位置より高くされる。なお、第２台部５４０の上面５４０ａと第１台部５３０の上面５３０ａとが同じ高さ位置であってもよい。仕切部５５０は、第１台部５３０の上面５３０ａと第２台部５４０の上面５４０ａの境界部分に設けられ、前後方向に延びる。
【００３９】
各位置決め部５２０は、前方および後方にそれぞれ延びる２つの四角い棒状の脚部５２１を含む。脚部５２１の先端部には、端子台３０の外側となる角部に切欠部５２２が形成される。また、各位置決め部５２０には、台本体５１０の端面と繋がるように２つの補強用リブ５２３が設けられる。さらに、各位置決め部５２０には、下面から垂下するとともに左右方向に延びる仕切リブ５２４が設けられる。
【００４０】
台本体５１０の前面には、前側第２バスバー３００Ａの第２重合部３３０および第２接続端子部３４０の形状に対応するように凹む前側凹部５１１が形成される。同様に、台本体５１０の後面には、後側第２バスバー３００Ｂの第２重合部３３０および第２接続端子部３４０の形状に対応するように凹む後側凹部５１２が形成される。
【００４１】
端子台３０には、前方から前側コンデンサ素子ユニット１０が連結され、前側コンデンサ素子ユニット１０が連結された後に、後方から後側コンデンサ素子ユニット２０が連結される。これにより、前側コンデンサ素子ユニット１０、後側コンデンサ素子ユニット２０および端子台３０が、コンデンサアセンブリ体ＡＳとして一体化された状態となる（図１（ｂ）、図２参照）。
【００４２】
第１台部５３０の上面５３０ａに、順番に、前側第１バスバー２００Ａにおける第１接続端子部２４０の接続部２４０ａと後側第１バスバー２００Ｂにおける第１接続端子部２４０の接続部２４０ａとが重なり、２つの第１接続端子部２４０の取付孔２４１が第１台部５３０のネジ孔部５３２と整合する。同様に、第２台部５４０の上面５４０ａに、順番に、前側第２バスバー３００Ａの第２接続端子部３４０と後側第２バスバー３００Ｂの第２接続端子部３４０とが重なり、２つの第２接続端子部３４０の取付孔３４１が第２台部５４０のネジ孔部５４２と整合する。
【００４３】
また、前側第２バスバー３００Ａの第２重合部３３０と第２接続端子部３４０の一部とが前側凹部５１１に嵌り込む。これにより、前側コンデンサ素子ユニット１０は、端子台３０に対し、上下方向、左右方向および後方向への動きが規制される。同様に、後側第２バスバー３００Ｂの第２重合部３３０と第２接続端子部３４０の一部とが後側凹部５１２に嵌り込む。これにより、後側コンデンサ素子ユニット２０は、端子台３０に対し、上下方向、左右方向および前方向への動きが規制される。
【００４４】
２つの第１接続端子部２４０と２つの第２接続端子部３４０との間に仕切部５５０が介在する。また、前側コンデンサ素子ユニット１０と後側コンデンサ素子ユニット２０との間に２つの仕切リブ５２４が挟まった状態となる。
【００４５】
図１（ａ）および図６を参照して、ケース４０は、樹脂製であり、たとえば、熱可塑性樹脂であるポリフェニレンサルファイド（ＰＰＳ）により形成される。ケース４０は、ほぼ直方体の箱状を有し上面が開口するケース本体６１０を備える。ケース本体６１０は、左右方向の幅が前後方向の幅より広くされている。たとえば、左右方向の幅は、左右方向の幅のほぼ２倍程度、あるいはそれ以上とされ得る。
【００４６】
ケース本体６１０には、前側の外壁面と後側の外壁面とに、それぞれ、ほぼ円柱形状の４つの取付ボス６２０が形成される。各取付ボス６２０には、金属製のナット６２１がインサート成形により埋め込まれる。取付ボス６２０は、フィルムコンデンサ１を外部装置等に取り付ける際に用いられる。
【００４７】
ケース本体６１０の前側と後側の内壁面には、それぞれ、上下方向に延びる４本のリブ６３０が形成される。各リブ６３０の上端部には、内側の角部を切り欠くことにより段差部６３１が形成される。また、ケース本体６１０の前後方向における中央部には、底面から左右の内壁面の中間部分に掛けて仕切壁部６４０が形成される。
【００４８】
図７は、本実施の形態に係る、ケース４０内にコンデンサアセンブリ体ＡＳが収容された状態であって、ケース４０内に充填樹脂５０が充填される前のフィルムコンデンサ１の平面図である。
【００４９】
ケース４０の上面の開口部６１１からケース４０内にコンデンサアセンブリ体ＡＳが収容される。端子台３０は、ケース４０内において、前側コンデンサ素子群１００Ａおよび後側コンデンサ素子群１００Ｂよりも開口部６１１側に位置する。端子台３０の両端部の位置決め部５２０は、端子台３０がケース４０に対して、前後方向、左右方向および上下方向に位置決めされるようケース４０と関わり合う。なお、本実施形態において、前後方向および左右方向は、開口部６１１の開口面に沿う方向であって、互いに直交する。また、上下方向は、開口部６１１の開口面に直交する方向である。
【００５０】
即ち、各位置決め部５２０の前後の脚部５２１は、前後の内壁面側へと延び、それらの先端部が内壁面に当接する。これにより、各位置決め部５２０は、前後の内壁面の間で突っ張る状態となり、端子台３０がケース４０に対して前後方向に位置決めされる。
【００５１】
また、右側の位置決め部５２０では、前後の脚部５２１の切欠部５２２がケース４０の右端の前後のリブ６３０の段差部６３１と係合し、左側の位置決め部５２０では、前後の脚部５２１の切欠部５２２がケース４０の左端の前後のリブ６３０の段差部６３１と係合する。右側の位置決め部５２０は右方向への動きと下方向への動きを規制され、左側の位置決め部５２０は左方向への動きと下方向への動きを規制される。この結果、端子台３０がケース４０に対して左右方向および上下方向に位置決めされる。
【００５２】
ケース４０の底部では、前側コンデンサ素子ユニット１０と後側コンデンサ素子ユニット２０との間に仕切壁部６４０が挟まった状態となる。
【００５３】
なお、コンデンサアセンブリ体ＡＳがケース４０内に収容される際、前側コンデンサ素子ユニット１０および後側コンデンサ素子ユニット２０が、端子台３０に対して、それぞれ前方および後方に外れないよう、一旦、２つの第１接続端子部２４０および２つの第２接続端子部３４０と端子台３０とがネジ（図示せず）で固定される。この場合、ネジは、ケース４０内に充填した充填樹脂５０が硬化してフィルムコンデンサ１が完成した後に取り外される。
【００５４】
コンデンサアセンブリ体ＡＳが収容されたケース４０内に、開口部６１１から充填樹脂５０が充填される（図１（ａ）参照）。充填樹脂５０は、エポキシ樹脂等の熱硬化性樹脂からなり、溶融状態でケース４０内に注入される。ケース４０内において、充填樹脂５０は、端子台３０の位置決め部５２０の脚部５２１よりも少し上の位置まで満たされる。ここで、前側コンデンサ素子ユニット１０と後側コンデンサ素子ユニット２０との間には、端子台３０の仕切リブ５２４とケース４０の仕切壁部６４０によって隙間Ｃが確保される（図７参照）。これにより、前側コンデンサ素子ユニット１０と後側コンデンサ素子ユニット２０との間に、十分に充填樹脂５０が行き渡たる。
【００５５】
ケース４０が加熱されると、ケース４０内の充填樹脂５０が硬化する。この際、充填樹脂５０が収縮し、充填樹脂５０が密着した状態にあるケース４０には内部方向に力が働く。ケース４０は、左右方向の幅が広いため、前側面と後側面とが内側に反るように変形しやすくなる。しかしながら、ケース４０の前後の内壁面の間では、端子台３０の２つの位置決め部５２０が突っ張る状態となっているため、充填樹脂５０の収縮に伴うケース４０の前後方向の変形が抑制される。
【００５６】
このようにして、ケース４０内への充填樹脂５０の充填が完了すると、フィルムコンデンサ１が完成する。ケース４０内において、前側コンデンサ素子群１００Ａおよび後側コンデンサ素子群１００Ｂが充填樹脂５０で覆われ、湿気や衝撃から保護される。充填樹脂５０は、位置決め部５２０の脚部５２１よりも上まで充填されており、脚部５２１が充填樹脂５０中に埋められている。このため、端子台３０は上方へ動きにくくなる。
【００５７】
フィルムコンデンサ１は、外部装置等に設置される。前側第１バスバー２００Ａおよび後側第１バスバー２００Ｂの第１接続端子部２４０に、外部装置等に備えられた一方の外部端子（図示せず）が接続され、前側第２バスバー３００Ａおよび後側第２バスバー３００Ｂの第２接続端子部３４０に、外部装置等に備えられた他方の外部端子（図示せず）が接続される。この際、一方の外部端子と２つの第１接続端子部２４０とがネジ（図示せず）で端子台３０の第１台部５３０に固定されることで、外部端子と２つの第１接続端子部２４０との接続が容易となるとともに強固となる。同様に、他方の外部端子と２つの第２接続端子部３４０とがネジ（図示せず）で端子台３０の第２台部５４０に固定されることで、外部端子と２つの第２接続端子部３４０との接続が容易となるとともに強固となる。
【００５８】
＜実施の形態の効果＞
以上、本実施の形態によれば、以下の効果が奏される。
【００５９】
端子台３０に設けられた位置決め部５２０によって、端子台３０をケース４０に対して前後方向、左右方向および上下方向、即ち３軸方向（ＸＹＺ軸方向）に位置決めすることができる。これにより、３軸方向において、端子台３０のケース４０に対する位置精度を簡易に向上させることができる。
【００６０】
また、端子台３０のケース４０に対する位置精度が向上するため、端子台３０に連結された前側コンデンサ素子ユニット１０および後側コンデンサ素子ユニット２０のケース４０に対する位置精度も向上する。
【００６１】
さらに、ケース４０の前後の内壁面の間では、端子台３０の２つの位置決め部５２０が突っ張る状態となっているため、幅の広いケース４０の前後の両側面において、充填樹脂５０の収縮に伴う変形が抑制される。また、このように、ケース４０の変形が抑制されることで、充填樹脂５０として、従来よりも収縮率が高い材料の採用も可能となり、充填樹脂５０の材料選択の自由度が大きくなる。
【００６２】
特に、位置決め部５２０は、端子台３０の両端部に設けられているので、これら２つの位置決め部５２０によって、ケース４０の変形を良好に抑制することができる。
【００６３】
さらに、端子台３０は、位置決め部５２０とケース４０との関わり合いによって、ケース４０に対し前後方向および左右方向に動きが規制されているので、第１接続端子部２４０と外部端子および第２接続端子部３４０と外部端子が端子台３０にネジで固定される際、ネジを締め付ける力で端子台３０が回転してしまうようなことが生じにくい。また、端子台３０は、位置決め部５２０とケース４０との関わり合いによって、ケース４０に対し下方向に動きが規制されているので、第１接続端子部２４０と外部端子および第２接続端子部３４０と外部端子が端子台３０にネジで固定される際、端子台３０を押し付ける力で端子台３０が下方に動いてしまうようなことが生じにくい。
【００６４】
さらに、端子台３０は、第１接続端子部２４０ための端子台である第１台部５３０と第２接続端子部３４０ための端子台である第２台部５４０とを一体化した構成であるため、第１台部５３０と第２台部５４０とが別々の端子台として構成される場合に比べて、コンデンサアセンブリ体ＡＳを強固に構成できる。また、第１台部５３０と第２台部５４０とを一体化するに当たり、これらの間に隙間を設けて連結部材で繋ぐような構成とせず、これらが互いに接する状態で隣り合う構成としたので、端子台３０自身を強固にできる。しかも、第１台部５３０と第２台部５４０との間には仕切部５５０が設けられているので、第１台部５３０と第２台部５４０とが接する構成とされたときに、第１接続端子部２４０と第２接続端子部３４０との間の沿面距離を十分に確保することができ、電気的な絶縁性を十分に確保できる。
【００６５】
以上、本発明の実施の形態について説明したが、本発明は、上記実施の形態に限定されるものではなく、また、本発明の適用例も、上記実施の形態の他に、種々の変更が可能である。
【００６６】
たとえば、上記実施の形態では、幅の広いケース４０の前側面および後側面の変形を抑制するため、端子台３０の位置決め部５２０が前側および後側の内壁面へと延びる脚部５２１を含む構成とされた。しかしながら、幅の狭いケース４０の右側面および左側面において、問題となるような変形が生じる虞がある場合に、図８（ａ）に示すように、端子台３０は、右側の位置決め部５２０が、右側面側へと延びて右側面に当接する脚部５２５を含み、左側の位置決め部５２０が、左側面側へと延びて左側面に当接する脚部５２６を含むような構成とされてもよい。この場合、ケース４０には、脚部５２５、５２６にそれぞれ対応するリブ６５０、６６０が設けられる。なお、このような構成とした場合、各脚部５２１、５２５、５２６は、各リブ６３０、６５０、６６０の上端部に載置される構成とされ、各脚部５２１、５２５、５２６に切欠部が設けられず、各リブ６３０、６５０、６６０にも段差部が設けられない。
【００６７】
また、上記実施の形態では、端子台３０は、第１台部５３０と第２台部５４０とを一体化した構成であった。しかしながら、図８（ｂ）に示すように、第１台部５３０のみで構成された端子台３０Ａと、第２台部５４０のみで構成された端子台３０Ｂとが、それぞれの両端部に設けられた位置決め部５２０とケース４０に設けられたリブ６３０とによって、ケース４０に対し前後方向、左右方向および上下方向に位置決めされた状態で、ケース４０内において左右方向に並べられてもよい。
【００６８】
なお、図８（ａ）および（ｂ）では、便宜上、前側コンデンサ素子ユニット１０と後側コンデンサ素子ユニット２０の図示が省略されている。
【００６９】
さらに、上記実施の形態では、端子台３０がケース４０に対して前後方向、左右方向および上下方向の３軸方向の全てに位置決めされるよう位置決め部５２０がケース４０と関わり合う構成が採られた。しかしながら、端子台３０は、ケース４０に対して３軸方向全てに位置決めされなくても良く、端子台３０がケース４０に対して前後方向または左右方向のうち少なくとも一つの方向に位置決めされるように位置決め部５２０がケース４０と関わり合う構成が採られてもよい。
【００７０】
さらに、上記実施の形態では、フィルムコンデンサ１が、前側コンデンサ素子ユニット１０と後側コンデンサ素子ユニット２０の２つのコンデンサ素子ユニットを備える。しかしながら、フィルムコンデンサ１は、１つのコンデンサ素子ユニットを備えるような構成とされてもよい。
【００７１】
さらに、上記実施の形態では、前側コンデンサ素子ユニット１０と後側コンデンサ素子ユニット２０に第１接続端子部２４０と第２接続端子部３４０とが１つずつ設けられた。しかしながら、第１接続端子部２４０と第２接続端子部３４０とが複数個ずつ設けられても良い。この場合、複数個の端子台３０が備えられることとなる。
【００７２】
さらに、前側コンデンサ素子群１００Ａおよび後側コンデンサ素子群１００Ｂを構成するコンデンサ素子１１０の個数は、如何なる個数であってもよい。また、コンデンサ素子１１０の個数が前側コンデンサ素子群１００Ａおよび後側コンデンサ素子群１００Ｂを構成するように複数個とされなくてもよく、１個であってもよい。
【００７３】
さらに、上記実施の形態では、コンデンサ素子１１０は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１１０を形成してもよい。
【００７４】
さらに、上記実施の形態では、本発明のコンデンサの一例として、フィルムコンデンサ１が挙げられた。しかしながら、本発明は、フィルムコンデンサ１以外のコンデンサに適用することもできる。
【００７５】
この他、本発明の実施の形態は、特許請求の範囲に示された技術的思想の範囲内において、適宜、種々の変更が可能である。
【００７６】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００７７】
本発明は、各種電子機器、電気機器、産業機器、車両の電装等に使用されるコンデンサに有用である。
【符号の説明】
【００７８】
１  フィルムコンデンサ（コンデンサ）
３０  端子台
４０  ケース
１１０  コンデンサ素子
１１１  第１端面電極（電極）
１１２  第２端面電極（電極）
２００Ａ  前側第１バスバー（第１バスバー、バスバー）
２００Ｂ  後側第１バスバー（第１バスバー、バスバー）
２４０  第１接続端子部（接続端子部）
３００Ａ  前側第２バスバー（第２バスバー、バスバー）
３００Ｂ  後側第２バスバー（第２バスバー、バスバー）
３４０  第２接続端子部（接続端子部）
５２０  位置決め部
５２１  脚部（梁状部）
５３０  第１台部
５３２  ネジ孔部
５４０  第２台部
５４２  ネジ孔部
５５０  仕切部
６１１  開口部
【図１】
2019026605.tif 000003
【図２】
2019026605.tif 000004
【図３】
2019026605.tif 000005
【図４】
2019026605.tif 000006
【図５】
2019026605.tif 000007
【図６】
2019026605.tif 000008
【図７】
2019026605.tif 000009
【図８】
2019026605.tif 000010
【国際調査報告】
2019026605.tif 000011
2019026605.tif 000012